(57)【要約】【課題】  本発明は、断熱容器の積み重ねによる滑落を防ぐ断熱容器及び滑落防止具を提供することを課題とする。【解決手段】  本発明の断熱容器１は、長方形の底板部２と、その底板部２の周縁から立設し底板部２に対する側に開口を形成する側壁部３と、開口を塞ぐ天板部４と、を備える断熱容器１であって、天板部４にはその上面から突出した第一突出部５が設けられ、底板部２にはその下面から突出した第二突出部６が設けられている。【選択図】図１
2005187057.tif 000002
【特許請求の範囲】
【請求項１】
底板部と、
当該底板部周縁から立設し、前記底板部に対する側に開口を形成する側壁部と、
前記開口を塞ぐ天板部と、
を備える断熱容器であって、
前記天板部は、その上面から突出した第一突出部を有し、
当該第一突出部は、前記天板部の上に他の断熱容器を積み重ねたとき、当該他の断熱容器の底板部と係合することを特徴とする断熱容器。
【請求項２】
前記底板部の下面から突出した第二突出部を有し、
当該第二突出部は、前記断熱容器を他の断熱容器に積み重ねたとき、当該他の断熱容器の天板部と係合することを特徴とする請求項１に記載の断熱容器。
【請求項３】
前記天板部，前記底板部，前記側壁部はアルミ積層フィルムにて覆われており、前記第一突出部及び／又は前第二突出部は、前記天板部及び／又は前記底板部の前記アルミ積層フィルムに縫製されていることを特徴とする請求項１又は２の何れかに記載の断熱容器。
【請求項４】
前記第一突出部は前記天板部の周縁に沿って設けられていることを特徴とする請求項１〜３の何れかに記載の断熱容器。
【請求項５】
前記断熱容器と同じ構成を有する他の断熱容器が前記断熱容器の上に積み重ねられたとき、前記断熱容器の前記天板部に設けられた前記第一突出部は、前記他の断熱容器の底板部に設けられた第二突出部を囲み、前記他の断熱容器の滑落を防止することを特徴とする請求項１〜４の何れかに記載の断熱容器。
【請求項６】
前記第一突出部及び第二突出部は棒状に形成されていることを特徴とする請求項１〜５の何れかに記載の断熱容器。
【発明の詳細な説明】
【技術分野】
【０００１】
本発明は、商品を搬送する際に用いる断熱性の容器に関する。
【背景技術】
【０００２】
店舗や病院等で取り扱われる商品（食品，薬品等）には、搬送中に保冷又は保温を必要とするものがある。このような商品を配送するために従来から蓋付きの断熱性の容器（以下、断熱容器と称す）が使用されている（特開２００２−６８３２６号公報参照）。
【特許文献１】特開２００２−６８３２６号公報
【発明の開示】
【発明が解決しようとする課題】
【０００３】
ところで、商品の運搬方法としてはトラックや船による運搬方法がある。断熱容器内に収容された商品をトラックや船に積載するとき、断熱容器は積載スペースとの兼ね合いで段積みされる場合がある。
【０００４】
ところが、断熱容器の段積みは積載スペースの節約にはなるが、積み重ねる数が多くなればなるほど搬送中の揺れや振動によって、積み重ねられた断熱容器が滑り落ち易いという問題があった。
【０００５】
そこで、本発明は、上記事項に鑑みてなされたものであり、断熱容器の積み重ねによる滑落を防ぐ断熱容器を提供することを課題とする。
【課題を解決するための手段】
【０００６】
本発明は、上記課題を解決するために以下の手段を採用した。すなわち、本発明は、底板部と、当該底板部周縁から立設し、底板部に対する側に開口を形成する側壁部と、開口を塞ぐ天板部と、を備える断熱容器であって、天板部は、その上面から突出した第一突出部を有し、当該第一突出部は、天板部の上に他の断熱容器を積み重ねたとき、当該他の断熱容器の底板部と係合することを特徴とする。
【０００７】
第一突出部が天板部の上に載置された断熱容器の底板部と係合することにより、積み重ねた側の断熱容器の水平方向に作用する力を規制する。これによって、トラック等による運搬中の揺れや振動に対して抵抗することができ、断熱容器が滑落してしまうことを極力阻止することができる。
【０００８】
また、本発明の断熱容器は、底板部の下面から突出した第二突出部を有し、この第二突出部は、断熱容器を他の断熱容器に積み重ねたとき、他の断熱容器の天板部と係合する。
【０００９】
このように、底板部に第二突出部を設けることにより、断熱容器を三段以上段積みした場合の断熱容器の滑落を効率的に防止することができる。すなわち、天板部に設けられた第一突出部は、天板部の上に載置された断熱容器の底板部と係合することにより天板部の上に載置された他の断熱容器の滑落を防ぎ、底板部に設けられた第二突出部は、底板部の下に位置する他の断熱容器の天板部と係合することにより底板部の下に位置する他の断熱容器から滑り落ちることを防ぐことができる。
【００１０】
このように、第一突出部が天板部の周縁に沿って設けられていることにより天板部の上に他の断熱容器を安定させて載置することができる。
【００１１】
また、本発明の断熱容器は、第一突出部は天板部の周縁に沿って設けられていると好ましい。
【００１２】
さらに、本発明の断熱容器は、天板部，底板部，側壁部はアルミ積層フィルムにて覆われており、第一突出部及び／又は前第二突出部は、天板部及び／又は底板部のアルミ積層フィルムに縫製されていることを特徴とする。
【００１３】
第一突出部及び第二突出部は、軟質の樹脂によって形成されているため、アルミ積層フィルムに縫製することができる。
【００１４】
これによって、本発明の断熱容器の製造に要する時間及び手間を短縮することができる。
【００１５】
なぜなら、第一突出部及び第二突出部を接着剤にて天板部及び底板部のアルミ積層フィルムに接着した場合、接着剤が完全に乾くまで放置しなければならない。また、それらのアルミ積層フィルムは、接着剤が完全に乾くまで重ねたり束ねたりすることができないため、接着剤を乾燥させる作業スペースも確保しなければならなかった。
【００１６】
ところが、本発明によれば、第一突出部及び第二突出部を天板部及び底板部に取り付けた直後に次の製造作業に取りかかることができる。また、本発明の第一突出部及び第二突出部は縫製により天板部及び底板部のアルミ積層フィルムに取り付けられるため、第一突出部及び第二突出部の取り付け作業直後でもそれらのアルミ積層フィルムを重ねることができ、作業スペースの省略化にもつながる。
【００１７】
また、本発明の断熱容器は、断熱容器と同じ構成を有する他の断熱容器が断熱容器の上に積み重ねられたとき、断熱容器の天板部に設けられた第一突出部は、他の断熱容器の底板部に設けられた第二突出部を囲み、他の断熱容器の滑落を防止することを特徴とする。
【００１８】
このような構成によれば、天板部の上に載置された断熱容器が振動や揺れによって水平方向に移動すると、第一突出部によって他の断熱容器の第二突出部が係止される。
【００１９】
これによって、運搬中の揺れや振動により、天板部の上に載置された断熱容器が水平方向に移動し滑り落ちることを防ぐことができる。
【００２０】
さらに、本発明の断熱容器は、第一突出部及び第二突出部は棒状に形成されていると好ましい。第一突出部及び第二突出部を棒状に形成することにより、揺れや振動により段積みされた断熱容器同士がずれてしまい、第一突出部と第二突出部とが係合すると、それらの接触面積が大きくなる。これによって、段積みされた断熱容器の滑落をしっかりと防ぐことができる。
【００２１】
勿論、第一突出部及び／又は第二突出部は、天板部及び／又は面板部の面上から突出していればよいので棒状に限らない。
【００２２】
また、本発明は、底板部と、当該底板部周縁から立設し、前記底板部に対する側に開口を形成する側壁部と、開口を塞ぐ天板部とを備える断熱容器の天板部の上面に設けられ、段積みした断熱容器の滑落を防止する滑落防止具でもある。本発明の滑落防止具は天板部の上面から突出し、天板部の上に他の断熱容器を積み重ねたとき、当該他の断熱容器の底板部と係合することを特徴とする。
【００２３】
このような構成の滑落防止具によって、既存の断熱容器にも汎用的に用いることができ
る。尚、本発明の滑落防止具の取り付け方法は、縫製により天板部に取り付けても良いし、接着剤による接着で滑落防止具を取り付けても良い。
【発明の効果】
【００２４】
本発明によれば、断熱容器の積み重ねによる滑落を防ぐ断熱容器及び断熱容器に取り付ける滑落防止具を提供することができる。
【発明を実施するための最良の形態】
【００２５】
以下、本実施形態における断熱容器及び滑落防止具について図面を参照し説明する。
【００２６】
（構成）
図１に本実施形態の断熱容器１の斜視図を示す。本実施形態の断熱容器１は、長方形の底板部２と、その底板部２の周縁から立設し底板部２に対する側に開口を形成する側壁部３と、開口を塞ぐ天板部４と、を備える断熱容器１であって、天板部４にその上面から突出した第一突出部５が設けられている。
【００２７】
図２に本実施形態の天板部４の平面図を示す。本実施形態の天板部４は、底板部２と同じ形状であり長方形をなしている。
【００２８】
また、第一突出部５は、天板部４の周縁に沿って設けられている。つまり、本実施形態の第一突出部５は、長方形の天板部４の四つのそれぞれの辺に沿って設けられた第一突出部５ａ，５ｂ，５ｃ，５ｄとなる。尚、本実施形態の第一突出部５は、天板部４の短い方の二辺に沿って設けられ対向する第一突出部５ａ，５ｃと、天板部４の長い方の二辺に沿って設けられ対向する第一突出部５ｂ，５ｄとがある。そして、第一突出部５ｂ，５ｄの両端部は、間隔を空けて位置する第一突出部５ａ，５ｃの両端に挟まれた状態をなす。
【００２９】
図３に本実施形態の底板部２の底面図を示す。本実施形態の底板部２は天板部４と同じ長方形である。
【００３０】
さらに、本実施形態の断熱容器１は、底板部２の下面から突出する第二突出部６を有している。本実施形態の第二突出部６は、底板部２の長手方向に沿った左右両側に設けられた第二突出部６ａ，６ｃと、これら第二突出部６ａと第二突出部６ｃとの間に第二突出部６ｂとを含む。
【００３１】
図４に本実施形態の第一突出部５（５ａ，５ｂ，５ｃ，５ｄ）及び第二突出部６（６ａ，６ｂ，６ｃ）の斜視図を示す。尚、本実施形態の第一突出部５と第二突出部６とは、同一の構成であるため、第二突出部６の説明は省略するが、第一突出部５の構成と同じ構成の第二突出部６の構成については、第一突出部５と同一の符号を付すこととする。
【００３２】
本実施形態の第一突出部５（５ａ，５ｂ，５ｃ，５ｄ）及び第二突出部６（６ａ，６ｂ，６ｃ）は、短手方向における断面が半円状の棒状の本体部７と、本体部７の長手方向に沿ってその中心に挿通した中心材８と、本体部７の側面から外方に向かって延出した延出部９とから構成されている。
【００３３】
中心材８は軟質性の樹脂であり、第一突出部５ａ，５ｂ，５ｃ，５ｄ及び第二突出部６ａ，６ｂ，６ｃは弾性変形することができる。
【００３４】
また、延出部９は天板部４（第二突出部６の延出部９のときは底板部２）のアルミ積層フィルムに縫いつけられる縫い代となる。
【００３５】
これによって、断熱容器１の製造に要する時間及び手間を短縮することができる。なぜなら、第一突出部５ａ，５ｂ，５ｃ，５ｄ及び／又は第二突出部６ａ，６ｂ，６ｃを接着剤にて天板部４及び／又は底板部２のアルミ積層フィルムに接着した場合、接着剤が完全に乾くまで放置しなければならない。
【００３６】
さらに、それらのアルミ積層フィルムは、接着剤が完全に乾くまで重ねたり束ねたりすることができないため、接着剤を乾燥させる作業スペースも確保しなければならなかった。
【００３７】
ところが、本実施形態の断熱容器１によれば、第一突出部５ａ，５ｂ，５ｃ，５ｄ及び第二突出部６ａ，６ｂ，６ｃを天板部４及び底板部２に取り付けた直後に次の製造作業に取りかかることができる。
【００３８】
また、第一突出部５ａ，５ｂ，５ｃ，５ｄ及び第二突出部６ａ，６ｂ，６ｃは縫製により天板部４及び底板部２のアルミ積層フィルムに取り付けられるため、第一突出部５ａ，５ｂ，５ｃ，５ｄ及び第二突出部６ａ，６ｂ，６ｃの取り付け作業直後でもそれらのアルミ積層フィルムを重ねることができ、作業スペースの省略化にもつながる。
【００３９】
尚、上記説明では、第一突出部５ａ，５ｂ，５ｃ，５ｄ及び第二突出部６ａ，６ｂ，６ｃを断熱容器１の構成する部品の一つとして説明したが、第一突出部５ａ，５ｂ，５ｃ，５ｄ及び第二突出部６ａ，６ｂ，６ｃは、滑落防止具として単体での流通も可能である。
【００４０】
以上が、本実施形態の断熱容器１の構成である。次に、本実施形態の断熱容器１を段積みした時の状態について説明する。
【００４１】
図５に本実施形態の断熱容器１の上下に、本実施形態の断熱容器１と同じ構成である他の断熱容器（二点鎖線にて表示）１０１，２０１を段積みした状態を示す。
【００４２】
本実施形態の断熱容器１を他の断熱容器の上に段積みすると、断熱容器１の底板部２に設けられた第二突出部６ａ，６ｂ，６ｃは、下に位置する他の断熱容器１０１の第一突出部１０５ａ，１０５ｂ，１０５ｃ，１０５ｄの内方に収まる状態となる。
【００４３】
そのため、振動や衝撃により断熱容器１に水平方向（断熱容器１を基準としたときの前後左右方向：図５中Ｘ方向，Ｙ方向，Ｚ方向，Ｔ方向）の力が加わり断熱容器１が他の断熱容器１０１の上から滑落してしまうことを防ぐことができる。
【００４４】
例えば、断熱容器１に図５中Ｘ方向の外力が加わると、断熱容器１の第二突出部６ａが断熱容器１０１の第一突出部１０５ｄ側へ移動する。このとき第一突出部１０５ｄが第二突出部６ａを係止することにより、断熱容器１の移動を規制することができる。
【００４５】
その他の例として、断熱容器１に図５中Ｔ方向の外力が加わると、断熱容器１の第二突出部６ａ，６ｂ，６ｃが断熱容器１０１の第一突出部１０５ｃ側へ移動する。このとき、第一突出部１０５ｃは、第二突出部６ａ，６ｂ，６ｃの端部を係止することにより断熱容器１が図５中Ｔ方向への移動してしまうことを規制することができる。
【００４６】
また、図５に示すように、本実施形態の断熱容器１の上に他の断熱容器２０１を積み重ねると、断熱容器１の天板部４に設けられた第一突出部５ａ，５ｂ，５ｃ，５ｄは、積み重ねられた他の断熱容器２０１の底面に設けられた第二突出部２０５ａ，２０５ｂ，２０５ｃを内方に収める状態をなす。
【００４７】
そのため、振動や衝撃により断熱容器１に図５中Ｘ方向，Ｙ方向，Ｚ方向，Ｔ方向の力が少なくとも一つ加わっても他の断熱容器２０１が断熱容器１の上から滑落してしまうことを防ぐことができる。
【００４８】
例えば、断熱容器１に図５中Ｚ方向の外力が加わると、断熱容器１の第一突出部５ｄが断熱容器２０１の第二突出部２０６ａ側へ移動する。このとき第二突出部２０６ａは第一突出部６ａを係止することにより、断熱容器１の移動を規制する。
【００４９】
その他の例として、断熱容器１に図５中Ｙ方向の外力が加わると、断熱容器１の第一突出部５ｃが断熱容器２０１の第二突出部２０６ａ，２０６ｂ，２０７ｂの端部側へ移動する。このとき、第二突出部２０６ａ，２０６ｂ，２０７ｂの端部は、第一突出部５ｃ，５ｂ，５ｃの端部を係止することにより断熱容器１が図５中Ｙ方向へ移動してしまうことを規制することができる。
【００５０】
以上のように、本実施形態の断熱容器１は、第一突出部５ａ，５ｂ，５ｃ，５ｄ及び第二突出部６ａ，６ｂ，６ｃがそれぞれ他の断熱容器の第一突出部及び第二突出部と係合することにより、段積みされた断熱容器の滑落を防ぐことができる。
【００５１】
さらに、本実施形態の第一突出部５ａ，５ｂ，５ｃ，５ｄは、天板部４の周縁に沿って設けられているため、天板部４の上に安定させて他の断熱容器を載置することができる。
【００５２】
さらに、本実施形態の第一突出部５ａ，５ｂ，５ｃ，５ｄ，１０５ａ，１０５ｂ，１０５ｃ，１０５ｄ及び第二突出部６ａ，６ｂ，６ｃ，２０６ａ，２０６ｂ，２０６ｃは棒状に形成されている。そのため、運送に伴う揺れや振動により、段積みされた断熱容器同士がずれ、第一突出部５ａ，５ｂ，５ｃ，５ｄ，１０５ａ，１０５ｂ，１０５ｃ，１０５ｄと第二突出部６ａ，６ｂ，６ｃ，２０６ａ，２０６ｂ，２０６ｃが適宜に係合するとき、それらは線で接触を行う。
【００５３】
このように、本実施形態に係る断熱容器１の適宜の第一突出部５ａ，５ｂ，５ｃ，５ｄと他の断熱容器２０１の適宜の第二突出部２０６ａ，２０６ｂ，２０６ｃ、本実施形態に係る断熱容器１の適宜の第二突出部６ａ，６ｂ，６ｃと他の断熱容器１０１の適宜の第一突出部１０５ａ，１０５ｂ，１０５ｃ，１０５ｄとが線にて接触するため、段積みされた断熱容器の滑落を安定的に防ぐことができる。
【００５４】
また、第一突出部５及び第二突出部６は、他の断熱容器１０１、２０１の各突出部と係合して段積みした断熱容器の滑落を防ぐだけでなく、積み重ねた他の断熱容器の接触面に摩擦抵抗を生じさせるストッパーとしての役割も果たす。これによって、本実施形態の断熱容器１と、この上下に段積みされた他の断熱容器１０１，２０１との固定力を高めることができる。
【００５５】
また、本実施形態では、第一突出部５と第二突出部６との両方の突出部を有する断熱容器として説明したが、第一突出部５又は第二突出部６の何れか一方を備える段悦容器であってもよい
【００５６】
さらに、本実施形態では本実施形態の断熱容器１の構成と同一の構成を有する断熱容器を他の断熱容器１０１，２０１として説明したが、本発明の断熱容器はそれ以外の構成を有する断熱容器であってもよい。この場合、本発明の断熱容器に設けられる第一突出部及び／又は第二突出部は、本発明の断熱容器の上下に重ねられた断熱容器との接触箇所の摩擦抵抗を大きくする役割を果たす。これによって、本発明における断熱容器は従来の断熱容器に対しても積み上げられた断熱容器の滑落を防ぐことができる。
【図面の簡単な説明】
【００５７】
【図１】本実施形態に係る断熱容器の斜視図である。
【図２】本実施形態に係る断熱容器の平面図である。
【図３】本実施形態に係る断熱容器の底面図である。
【図４】本実施形態に係る第一突出部（第二突出部）の斜視図である。
【図５】本実施形態に係る断熱容器を段積みした状態を示す斜視図である。
【符号の説明】
【００５８】
１  断熱容器
２  底板部
３  側壁部
４  天板部
５（５ａ，５ｂ，５ｃ，５ｄ）  第一突出部
６（６ａ，６ｂ，６ｃ） 第二突出部
７  本体部
８  中心材
９  延出部
１０１，２０１ 断熱容器
１０５ａ，１０５ｂ，１０５ｃ，１０５ｄ  第一突出部
２０６ａ，２０６ｂ，２０６ｃ  第二突出部
【図１】
2005187057.tif 000003
【図２】
2005187057.tif 000004
【図３】
2005187057.tif 000005
【図４】
2005187057.tif 000006
【図５】
2005187057.tif 000007